(57)【特許請求の範囲】
【請求項１】
前面に遊技領域が形成された遊技盤の後面に着脱可能に取り付けられた第１制御基板ユニットと、
前記遊技盤の後面における前記第１制御基板ユニットよりも下方の位置に下端部を中心として前後方向に揺動可能に取り付けられ、後面視において上部が前記第１制御基板ユニットの下部を後方から覆った状態で固定される第２制御基板ユニットとを有して構成され、
前記第２制御基板ユニットを前記下端部を中心として後方に揺動させることにより前記第１制御基板ユニットの下部と前記第２制御基板ユニットの上部との間の空間を拡大させ、この拡大された空間を利用して前記第１制御基板ユニットを前記遊技盤に着脱させることが可能に構成されたことを特徴とする遊技機。
【請求項２】
前記第１制御基板ユニットが、前記遊技盤に取り付けられた画像表示装置に表示する画像の制御を行う画像制御基板が収容された画像制御基板アッセンブリであり、
前記第２制御基板ユニットが、遊技機全体の作動制御を行う主制御基板が収容された主基板アッセンブリであることを特徴とする請求項１に記載の遊技機。
【発明の詳細な説明】
【技術分野】
【０００１】
本発明は、遊技盤の裏面側に画像制御基板アッセンブリと主基板アッセンブリが取り付けられた遊技機に関し、特に詳細には、後面視において、画像制御基板アッセンブリの一部分を主基板アッセンブリの一部分が覆うように配置されるとともに、主基板アッセンブリを遊技盤に対して後方に揺動させ、画像制御基板アッセンブリを遊技盤に対して着脱可能に構成した遊技機に関する。
【背景技術】
【０００２】
パチンコ機等に代表される遊技機は、遊技における演出効果を高めるために遊技盤の中央部に画像表示装置を備え、遊技の進行状況に応じて表示される画像を変化させるものがある。このような遊技機においては、画像表示装置に表示される画像を制御する画像制御基板アッセンブリや遊技機全体を制御する主基板アッセンブリ等のユニットが用いられており、これらを遊技機内に効率よく配置するために、遊技盤の裏側に配置したものが知られている（例えば、特許文献１参照）。
【０００３】
【特許文献１】特開２００５−５２４４８号公報（第２図）
【発明の開示】
【発明が解決しようとする課題】
【０００４】
しかしながら、遊技機による演出効果を高めるために、近年では画像表示装置が大型化する傾向にあり、それにともない画像制御基板アッセンブリも大型化しているため、遊技盤の裏面側に主基板アッセンブリを配置するスペースが制限されるという課題があった。
【０００５】
本発明はこのような課題に鑑みてなされたものであり、遊技盤の裏面に取り付けられた画像制御基板アッセンブリの一部分を主基板アッセンブリの一部分が覆うように配置し、遊技盤に対して主基板アッセンブリを後方に揺動させることにより画像制御基板アッセンブリを遊技盤から着脱可能に構成した遊技機を提供することを目的とする。
【課題を解決するための手段】
【０００６】
前記課題を解決するために、本発明に係る遊技機（例えば、実施形態におけるパチンコ機ＰＭ）は、前面に遊技領域が形成された遊技盤の後面に着脱可能に取り付けられた第１制御基板ユニットと、遊技盤の後面における第１制御基板ユニットよりも下方の位置に下端部を中心として前後方向に揺動可能に取り付けられ、後面視において上部が第１制御基板ユニットの下部を後方から覆った状態で固定される第２制御基板ユニットとを有して構成され、第２制御基板ユニットを下端部を中心として後方に揺動させることにより第１制御基板ユニットの下部と第２制御基板ユニットの上部との間の空間を拡大させ、この拡大された空間を利用して第１制御基板ユニットを遊技盤に着脱させることが可能に構成される。
【０００７】
このような本発明に係る遊技機においては、第１制御基板ユニットが、遊技盤に取り付けられた画像表示装置に表示する画像の制御を行う画像制御基板が収容された画像制御基板アッセンブリであり、第２制御基板ユニットが、遊技機全体の作動制御を行う主制御基板が収容された主基板アッセンブリであることが好ましい。
【発明の効果】
【０００８】
本発明に係る遊技機を以上のように構成すると、第１ユニットが大型化しても第２ユニットを後方から第１ユニットを覆うように取り付けることにより、遊技盤の寸法を変更することなくこれらの第１および第２ユニットを遊技機内に効率よく配置することができる。そして、第１ユニットを覆う第２ユニットを、遊技盤に対して揺動可能に取り付けているため、この第２ユニットを後方に揺動させることにより、第１ユニットの遊技盤に対する着脱作業のスペースを確保することができる。
【発明を実施するための最良の形態】
【０００９】
以下、本発明の好ましい実施形態について図面を参照して説明する。まず、本発明に係る遊技機の代表例としてパチンコ機ＰＭを図１に示し、この図面を参照してパチンコ機ＰＭの全体構成について説明する。ここで、図１はパチンコ機ＰＭの正面図である。
【００１０】
パチンコ機ＰＭは、外郭方形枠サイズに構成された縦向きの固定保持枠をなす外枠１の開口前面に、これに合わせた方形枠サイズに構成されて開閉搭載枠をなす前枠２が互いの左側縁部に配設された上下のヒンジ機構３ａ，３ｂにより横開き開閉および着脱が可能に取り付けられ、常には右側縁部に設けられた施錠機構４を利用して外枠１に閉鎖施錠された状態で保持される。
【００１１】
前枠２の各部には、パチンコ遊技を展開する遊技展開部材として、前枠２の前側面域に合わせた方形状のガラス扉５および球皿６が正面左側部に設けられたヒンジ機構７ａ，７ｂ，７ｃを利用して横開き開閉および着脱が可能に組付けられ、球皿６の右側下部には遊技球の発射操作を行う操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤１０の正面の遊技領域ＰＡを臨ませている。
【００１２】
なお、遊技盤１０は、板厚１９ｍｍ程度の積層合板を図示する所定形状に切断およびルーター加工して、その表面に所定意匠のセルを貼り付けた化粧板（ベニヤ板とも称される）１１を基板として構成される。また、前枠２には、帯状の案内レール１２が円弧状に固設され、この案内レール１２で囲まれた内側に上述の遊技領域ＰＡが区画される。
【００１３】
遊技領域ＰＡには、多数本の遊技釘とともにランプ風車や一般風車等の風車２１、一般入賞具や始動具並びに大入賞口を備えたアタッカー等の入賞具２２、および、遊技の進行状況に応じて所定の画像を表示させる画像表示装置２３が取り付けられ、遊技領域ＰＡの下端には入賞具２２に入賞せずに落下した遊技球（「アウト球」という）を遊技盤１０の裏面に排出させるアウト口２４が設けられている。各入賞具２２に落入した遊技球（「セーフ球」という）は、これらの入賞具２２に設けられた入賞口スイッチおよび始動口スイッチにより検出され、化粧板１１を貫通するセーフ球通路を通って遊技盤１０の裏面に排出される。また、アウト口２４に集められたアウト球は化粧板１１を貫通するアウト球通路孔を通って遊技盤１０の裏面側に排出される。
【００１４】
以上のように構成されたパチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置により１球ずつ遊技盤１０の遊技領域ＰＡに打ち出され、以降パチンコゲームが展開される。
【００１５】
遊技盤１０の裏面側には、パチンコ機ＰＭ全体の制御を行う主制御基板が収容された主基板アッセンブリ３０や、画像表示装置２３に表示される画像の制御を行う画像制御基板が収容された画像制御基板アッセンブリ４０が取り付けられている。それでは、図２および図３を参照して、遊技盤１０に取り付けられた主基板アッセンブリ３０および画像制御基板アッセンブリ４０について説明する。ここで、図２は遊技盤１０の背面図であり、図３は遊技盤１０を後方から見た斜視図である。なお、以降の説明においては、図２および図３の状態を基準にして前後左右、および、上下を定義する（図３参照）。
【００１６】
遊技盤１０の中央部には画像表示装置２３を取り付けるための開口部１３が形成されており、この開口部１３を挟むように遊技盤１０の裏面側の左右縁部に画像アッセンブリ取付部１４ａ，１４ｂが配設されている。画像制御基板アッセンブリ４０の左右両側部の上下には合計４個の取付突起部４０ａ，４０ｂが形成されており、この取付突起部４０ａ，４０ｂがネジ締結等で画像アッセンブリ取付部１４ａ，１４ｂに取り付けられて画像制御基板アッセンブリ４０が遊技盤１０に固定される。
【００１７】
また、遊技盤１０の下部における裏面側の左右縁部には、主基板取付部１５ａ，１５ｂが配設されており、この主基板取付部１５ａ，１５ｂに主基板アッセンブリ３０が取り付けられている。なお、主基板取付部１５ａ，１５ｂは、画像アッセンブリ取付部１４ａ，１４ｂよりも後方に突出するように形成されており、主基板アッセンブリ３０の上部が、後面視において、画像制御基板アッセンブリ４０の下部を後方から覆うように遊技盤１０に取り付けられる。
【００１８】
このように、主基板アッセンブリ３０が画像制御基板アッセンブリ４０の一部を覆う（後面視において一部が重なる）ように配置することにより、画像制御基板アッセンブリ４０の大型化に対して遊技盤１０の上下方向寸法を大きくすることなく、これらのアッセンブリ３０，４０をこの遊技盤１０の裏面側に配設することができる。
【００１９】
次に主基板アッセンブリ３０について図４〜図８を用いて説明する。ここで、図４は主基板アッセンブリ３０の分解斜視図であり、図５は主基板アッセンブリ３０を構成する主基板ケースの閉止方法を示す説明図であり、図６は主基板アッセンブリ３０を示す図であり、図７は主基板ケースを構成するケース本体部材５０を示す図であり、図８主基板ケースを構成するケース蓋部材６０を示す図である。
【００２０】
主基板アッセンブリ３０は、パチンコ機ＰＭの作動を統括的に制御する主制御基板３１と、主制御基板３１を内部に収容する主基板ケースとから構成される。さらに、主基板ケースは、遊技盤１０の裏面側に着脱されるケース本体部材５０と、このケース本体部材５０に着脱自在に取り付けられるケース蓋部材６０とから構成される。この主基板アッセンブリ３０は、主制御基板３１がケース蓋部材６０の内面側に取り付けられた状態で、このケース蓋部材６０をケース本体部材５０に装着可能に構成される。
【００２１】
主制御基板３１は、図４に示すように、中央部に配置されたＣＰＵ３２や左右に配設された接続コネクタ３３等の電子部品を有して構成される。この主制御基板３１の四隅には、基板取付孔３４が形成されており、基板取付ネジ６１をこの基板取付孔３４に挿入し、ケース蓋部材６０の基板取付部６７に対して螺挿してネジ締結するように構成されている。
【００２２】
ケース本体部材５０は、前面側に開口を有する矩形箱状の形状を有しており、ＡＢＳ樹脂やポリカーボネート（ＰＣ）等の透明な樹脂材料を用いて射出成形等の成形手段により一体的に成形される。このケース本体部材５０の内面側底部５１には、補強リブ５２が
縦横に形成されており、ケース本体部材５０の強度を向上させている。
【００２３】
ケース本体部材５０の側壁部（図４においては、底部５１の上下の縁部から前方に延びる側壁部）５３，５３のそれぞれには、複数の蓋部材取付溝５４が形成されている。図５を用いて詳細に説明すると、側壁部５３は、底部５１から前方に延びる第１壁部５３ａと、この第１壁部５３ａより板厚が薄く、第１壁部５３ａからさらに前方に延びる第２壁部５３ｂとからなり、ケース本体部材５０の内面側が段状に形成されている。そして、蓋部材取付溝５４は、第２壁部５３ｂに形成されており、前方およびケース本体部材５０の内面側が開口するように形成されている。なお、この蓋部材取付溝５４は、図５に示すように、前方に開口する挿入溝部５４ａと、前方側の第２壁部材５３から延びて形成された係止部５３ｃと第１壁部５３ａに囲まれた係止溝部５４ｂとから構成される。
【００２４】
ケース蓋部材６０は、ケース本体部材５０の開口を覆う矩形箱状の形状を有しており、ＡＢＳ樹脂やポリカーボネート（ＰＣ）等の透明な樹脂材料を用いて射出成形等の成形手段により一体的に成形される。このケース蓋部材６０の上下方向縁部に位置する側壁部６９には、外方（図４においては上下方向）に突出する係止突起部６２が複数形成されている。この係止突起部６２は、上述の蓋部材取付溝５４と同じ数だけ形成されており、その配置間隔も蓋部材取付溝５４と対応している。そのため、図５（ｃ）に示すように、ケース本体部材５０に対してケース蓋部材６０を取り付けるときは、前方から、蓋部材取付溝５４の挿入溝部５４ａに係止突起部６２を挿入し、その後、ケース蓋部材６０を左右方向（この実施例においては左方向）にスライド移動させて係止突起部６２を係止溝部５４ｂに挿入させることで、係止突起部６２と蓋部材取付溝５４とを嵌合させる。そのため、ケース蓋部材６０はケース本体部材５０に対して後方への移動（ケース本体部材５０からケース蓋部材６０を外そうとする移動）が規制される。なお、挿入溝部５４ａに係止突起部６２を挿入すると、ケース蓋部材６０の側壁部６９の下端は、第１壁部５３ａの上端（側壁部５３の段部）に支持される。
【００２５】
ここで、ケース本体部材５０の左端側には本体側仮止部５５が形成されており、ケース蓋部材６０の左端側には蓋側仮止部６３が形成されている。ケース本体部材５０にケース蓋部材６０が取り付けられたとき、すなわち、ケース本体部材５０に対してケース蓋部材６０が左方向にスライド移動して取り付けられたときに、これらの本体側仮止部５５と蓋側仮止部６３との位置は一致して係合し、ケース蓋部材６０がケース本体部材５０に対して右方向にスライド移動するのを規制する。なお、ケース本体部材５０およびケース蓋部材６０は、上述のように、樹脂材料で形成されており、これらの本体側仮止部５５および蓋側仮止部６３は薄く形成されているため、容易に撓めることができる。そのため、蓋側仮止部６３の左端側を本体側仮止部５５から離すように撓めることにより本体側仮止部５５と蓋側仮止部６３の係合は解除され、ケース本体部材５０に対して、ケース蓋部材６０を右方にスライド移動して、このケース蓋部材６０をケース本体部材５０から取り外すことができる。
【００２６】
以上のように、主制御基板３１は、主基板ケース（ケース本体部材５０およびケース蓋部材６０）内に格納されているため、主制御基板３１に対する不正行為を防止することができる。しかしながら、ケース本体部材５０に対してケース蓋部材６０が取り付けられた状態にあるときは、本体側仮止部５５と蓋側仮止部６３とが係合しているだけであり、ケース本体部材５０からケース蓋部材６０を取り外すことは容易である。そこで、閉止状態にあるケース蓋部材６０をケース本体部材５０に対してスライド移動できなくして不正操作を防止するために、主基板アッセンブリ３０には不正開放防止機構７０が設けられている。そこで、図９〜図１３を追加参照して主基板アッセンブリ３０に設けられた不正開放防止機構７０について以下に詳しく説明する。
【００２７】
ここで、図９はストッパ部材７１の斜視図あり、図１０はストッパ部材７１を構成する外側部材８０の斜視図であり、図１１はストッパ部材７１を構成する内側部材９０の斜視図であり、図１２はストッパ部材７１を用いてケース本体部材５０にケース蓋部材６０を係止保持する場合を示す要部拡大図であり、図１３はストッパ部材７１でケース本体部材５０にケース蓋部材６０を係止保持しない場合を示す要部拡大図である。
【００２８】
不正開放防止機構７０は、図４等に示すように、ケース本体部材５０の左端側に連結して設けられた４つの本体側係合部５６と、ケース蓋部材６０の左端側に連結して設けられた４つの蓋側係合部６４と、蓋側係合部６４に挿入されて、ケース本体部材５０にケース蓋部材６０を固定保持する４つのストッパ部材７１とから構成される。
【００２９】
本体側係合部５６は、ケース本体部材５０にケース蓋部材６０が取り付けられたときに蓋側係合部６４の各々に覆われる係合底部５６ａと、この係合底部５６ａの上下方向縁部および左方向縁部から前方に延び、ケース本体部材５０にケース蓋部材６０が取り付けられたときに蓋側係合部６４の開口部の周りを覆う係合壁部５６ｂとから構成され、係合底部５６ａの略中央部には凹状の係合凹部５６ｃが形成されている。また、係合凹部５６ｃを挟むように、左右方向に係合溝５６ｄ，５６ｄが形成されている。一方、蓋側係合部６４は、前方側（ケース本体部材５０にケース蓋部材６０が取り付けられたときに、本体側係合部５６と対向する側）が開口した矩形箱状に形成されている。なお、ケース蓋部材６０において主制御基板３１を収納する領域を形成する左側の側壁部６５と蓋側係合部６４との間は、蓋側連結部６６で連結されている。この蓋側連結部６６は切断可能に構成されており、ケース蓋部材６０から蓋側係合部６４を分離可能である。
【００３０】
ストッパ部材７１は、樹脂等からなり矩形箱状に形成されており、矩形箱状の外側部材８０と矩形箱状の内側部材９０とが組み合わされて構成されている。外側部材８０は、一方の面が開口して外側開口部８１を有し、この外側開口部８１と対向する面８２に舌状に切り込まれた係合爪部８３が形成されている。この係合爪部８３は、基端側が面８２から外側になだらかに傾斜する傾斜面８３ａを有し、先端側は、面８２に対して略垂直な係合面８３ｂを有している。この面８２には、係合爪部８３を挟むように外方に突出し、且つ、係合爪部８３が延びる方向に略平行に延びる、ガイド部８２ａ，８２ａが形成されている。また、係合爪部８３が延びる方向と平行な面８４，８４の各々の略中央部には取付孔８４ａが形成されるとともに、開口部８１側からこの面８４，８４の各々が切り取られた溝部８４ｂが形成されている。同様に、係合爪部８３の基端側の面８５には、外側開口部８１側からこの面８５が切り取られた溝部８５ａが形成され、係合爪部８３の先端側の面８６には、外側開口部８１側からこの面８６が切り取られた溝部８６ａが形成されている。
【００３１】
内側部材９０は、一方の面が開口して内側開口部９１が形成されている。内側開口部９１を形成する側面のうち、一方の対向する面９２，９２の各々には、外方に突出する取付爪部９２ａが形成されている。また、他方の対向する面のうちの一つの面９３には、基端部９３ａが内側開口部９１と反対側に形成されて舌状に切り込まれ、且つ、外方に突出する係止突起部９３ｂが形成されている。さらに、内側開口部９１と対向する面９４の縁部のうち、取付爪部９２ａが形成された面９２と接する部分と、係止突起部９３が形成されていない面９５と接する部分には、この面９４と同一面内に位置して外方に突出するフランジ部９４ａ，９４ｂが形成されている。
【００３２】
以上のように構成された外側部材８０の外側開口部８１に対して、内側部材９０を、内側開口部９１側から挿入すると、外側部材８０の溝部８４ｂに内側部材９０のフランジ部９４ａ，９４ａが組み合わされ、溝部８６ａの外側開口部８１ａ側を塞ぐようにフランジ部９４ｂが組み合わされるとともに、取付孔８４ａに取付爪部９２ａが係合して外側部材８０に内側部材９０が固定されてストッパ部材７１が組み立てられる。このとき、外側部材８０の溝部８５ａから内側部材９０の係止突起部９３ｂが外方に突出する。
【００３３】
このように、ストッパ部材７１を、一つの面が開口した外側部材８０と内側部材９０とで構成することにより、この外側部材８０および内側部材９０を射出成形等により容易に製造することができる。また、ストッパ部材７１も、これらの外側部材８０および内側部材９０を上述のように組み合わせるだけで組立てることができるため、製造コストを安くすることができる。
【００３４】
ストッパ部材７１は、図１２および図１３に示すように、蓋側係合部６４内に挿入されて用いられる。まず、ケース本体部材５０に取り付けられたケース蓋部材６０の右方向へのスライド移動を規制するため（これを「係止状態」と呼ぶ）には、図１２に示すように、ストッパ部材７１の係合爪部８３が下方に向き、かつ、この係合爪部８３の傾斜面８３ａが左方（ケース蓋部材６０をケース本体部材５０に取り付けるときにスライド移動させる方向）に位置するように蓋側係合部６４に挿入する（このストッパ部材７１の状態を「ロック状態」と呼ぶ）。なお、ストッパ部材７１が蓋側係合部６４に挿入されると、ストッパ部材７１の係止突起部９３ｂが蓋側係合部６４の内側の壁に押しつけられて弾性で付勢するため、この蓋側係合部６４の開口部が下方を向けられても、ストッパ部材７１は容易に脱落しない。
【００３５】
このような状態で、ケース蓋部材６０の係止突起部６２をケース本体部材５０の蓋部材取付溝５４に挿入して左方にスライド移動すると、ストッパ部材７１の係合爪部８３が、傾斜面８３ａに沿って本体側係合部材５６の係合底部５６ａに押し上げられながら係止爪部８３が左方に移動する。そして、蓋側係合部６４と本体側係合部５６とが重なった位置になると、係合爪部８３と係合凹部５６ｃとの位置が一致し、押し上げられていた係合爪部８３が弾性で係合凹部５６ｃに入り込み、係合凹部５６ｃと係合爪部８３とが係合するとともに、ストッパ部材７１のガイド部８２ａ，８２ａが、本体側係合部材５６の係合溝５６ｄ，５６ｄにそれぞれ挿入される。この状態となると、ケース蓋部材６０を右方にスライド移動させようとしても、係合爪部８３の係合面８３ｂが係合凹部５６ｃと係合しており、この係合面８３ｂは係合凹部５６の壁に沿って延びているため、係合爪部８３が上方に押し上げられることはなく、係合凹部５６ｃから係合爪部８３が外れることはない。そのため、本体側係合部５６と蓋側係合部６４とは固定され、ケース本体部材５０に対してケース蓋部材６０を固定保持する（係止状態にする）ことができる。
【００３６】
一方、図１３に示すように、蓋側係合部６４に対して、係合爪部８３がこの蓋側係合部６４内に位置するように挿入された場合（係合爪部８３が上方を向いた状態に挿入された場合であって、この状態を「アンロック状態」と呼ぶ）には、本体側係合部５６と蓋側係合部６４とは係合せず、ケース本体部材５０に対してケース蓋部材６０は右方にスライド移動可能となる（この状態を「解除状態」と呼ぶ）。
【００３７】
このようにして、ケース蓋部材６０をケース本体部材５０に対してスライド移動させて蓋側係合部６４が本体側係合部５６と対向して重なる状態にすると、係合爪部８３と係合凹部５６ｃとが係合して本体側係合部５６と蓋側係合部６４とが係止保持され、ケース本体部材５０に対するケース蓋部材６０の右方向へのスライド移動が規制される。そのため、ケース本体部材５０にケース蓋部材６０が装着された状態、すなわち、係止状態が保持される。これにより、本体側係合部５６と蓋側係合部６４とをストッパ部材７１を介して容易に連結させることができ、ケース本体部材５０とケース蓋部材６０とを閉止状態で容易に結合保持することができる。
【００３８】
そして、このような不正開放防止機構７０によりケース本体部材５０とケース蓋部材６０とが閉止状態で結合保持されれば、本体側係合部５６と係合したストッパ部材７１との係合を解除するのは非常に困難であり、主基板ケース（主基板アッセンブリ３０）を開くためには、蓋側連結部６６を切断して蓋側係合部６４をケース蓋部材６０から切り離す必要がある。そのため、主基板ケースの開放後は、蓋側連結部６６の切断痕跡が明確に残るため、不正な開封を早期に発見することができるとともに、不正行為を効果的に抑止できる。また、不正開放防止機構７０を解除状態から係止状態にするには、蓋側係合部６４に対してストッパ部材７１の係合爪部８３の向きを変える（アンロック状態で蓋側係合部６４に挿入されているストッパ部材７１を取り出してロック状態に入れ替える）だけで良いため、作業も非常に容易である。
【００３９】
なお、本実施例においては、不正開放防止機構７０は、本体側係合部５６、蓋側係合部６４、および、ストッパ部材７１の組を４組有しており、主基板ケースをこの不正開放防止機構７０で結合保持するためには、いずれか一つのストッパ部材７１をロック状態、すなわち、係合爪部８３が蓋側係合部６４に対して下方に突出するようにして挿入されていれば良い。そのため、例えば、主制御基板３１を検査するために、閉止状態（係止状態）の主基板ケースが開放されても、別の不正開放防止機構７０の組を用いて閉止状態（係止状態）にすることができる。また、切り取られた蓋側係合部６４の数により主基板ケースが何回開放されたかを確認することができる。
【００４０】
なお、ストッパ部材７１を構成する外側部材８０および内側部材９０を、それぞれ異なる色の樹脂で形成しておくことにより（例えば、外側部材８０を白色、内側部材９０を赤色）、ケース蓋部材６０は透明の樹脂で成形されているため、ストッパ部材７１の挿入状態がロック状態（内側部材９０が上側にあり赤色が蓋側係合部６４を透して見える状態）であるか、上方を向いたアンロック状態（外側部材８０が上側にあり白色が蓋側係合部６４を透して見える状態）であるか、を容易に識別することができる。
【００４１】
また、前述したように、主基板ケース（ケース本体部材５０およびケース蓋部材６０）の材料として透明な樹脂材料を使用しているが、その中でもＡＢＳ樹脂を使用することが好ましい。これにより、上記のような部材に対して切断操作を行うと、ＡＢＳ樹脂の成分であるブタジエンがゴム性を有して伸び、部材が割れずに白色化しやすいため、その切断痕跡が明確に残りやすいという効果が得られる。また、主基板ケースを無理にこじ開けようとしても、同様に部材が白色化して（こじ開けた）痕跡が明確に残りやすいという効果が得られる。このとき、上述のように蓋側係合部６４の開口部周辺は本体側係合部５６の係合壁部５６ｂに覆われており、また、ストッパ部材７１の係合爪部８３は本体側係合部５６の係合溝５６ｄ，５６ｄに挿入されたガイド部８２ａ，８２ａで挟まれているため、係止状態をこじ開けようとするときに係合爪部８３を操作することが困難であり、無理に操作しようとすると、蓋側連結部６６が白色化しやすいように構成されている。
【００４２】
最後に、主基板アッセンブリ３０と画像制御基板アッセンブリ４０の遊技盤１０に対する取り付けおよび取り外し方法について図１４を合わせて用いて説明する。ここで、図１４は、遊技盤１０に対して主基板アッセンブリ３０を揺動させて傾けた場合の斜視図である。
【００４３】
遊技盤１０の裏面に取り付けられた主基板取付部１５ａ，１５ｂには、後方に突出し、上方が開口したＵ字状の軸受部１６ａ，１６ｂがそれぞれ設けられている。また、主基板ケースのケース本体部材５０には、左右の両側部の下部から左右方向に突出して同軸上に延びる取付軸５７ａ，５７ｂが設けられている。遊技盤１０に主基板アッセンブリ３０を取り付けるときは、図１４に示すように、主基板取付部１５ａ，１５ｂに対して主基板アッセンブリ３０を斜めにして、取付軸５７ａ，５７ｂを上方から軸受部１６ａ，１６ｂの開口に挿入した後、取付軸５７ａ，５７ｂを中心に主基板アッセンブリ３０を前方に揺動させる。
【００４４】
なお、主基板取付部１５ａ，１５ｂに対する主基板アッセンブリ３０の固定は、ケース本体部材５０の左側部から外方に延びた左側固定部５８に取り付けられた左ナイラッチ３６と、ケース蓋部材６０の右側部から外方に延びた右側固定部６８に取り付けられた右ナイラッチ３７とが用いられる。左右ナイラッチ３６，３７は、例えば図１２に示すように、左ナイラッチ３６の上部に位置する操作部３６ａを下方に押し下げると、下部に位置する張出部３６ｂが外周方向に張り出してその径が大きくなり、操作部３６ａを上方に引き上げると、張出部３６ｂが内周方向に格納されてその径が小さくなるように構成された係止部材である（右ナイラッチ３７も同じ構造である）。
【００４５】
左右ナイラッチ３６，３７の操作部（３６ａ）が引き上げられた状態で、上述のように、主基板アッセンブリ３０が取付軸５７ａ，５７ｂを中心に上方に揺動されると、主基板取付部１５ａ，１５ｂの左右ナイラッチ３６，３７に対向する位置に嵌合孔１７ａ，１７ｂが形成されており、この嵌合孔１７ａ，１７ｂに左右ナイラッチ３６，３７の張出部（３６ｂ）が挿入される。この状態で左右ナイラッチ３６，３７の操作部（３６ａ）を押し下げると張出部（３６ｂ）が張り出して主基板アッセンブリ３０が主基板取付部１５ａ，１５ｂに固定される。
【００４６】
このとき、主基板取付部１５ａ、１５ｂには、後方に突出する支持突起部１８ａ，１８ｂが形成されており、この支持突起部１８ａ，１８ｂが、ケース本体部材５０の裏面側に形成されたリブ５９により作られる格子に嵌合するため、主基板アッセンブリ３０の荷重は、取付軸５７ａ，５７ｂと左右ナイラッチ３６，３７に加えてこの支持突起部１８ａ，１８ｂで支えられるように構成されている。
【００４７】
このように、軸受部１６ａ，１６ｂに対して取付軸５７ａ，５７ｂを中心に揺動させることにより、主基板アッセンブリ３０を後方に揺動させると、画像制御基板アッセンブリ４０の後方側に作業空間を形成することができる。そのため、画像制御基板アッセンブリ４０を後方から覆うように主基板アッセンブリ３０が取り付けられていても、この作業空間を利用して、画像制御基板アッセンブリ４０を遊技盤１０に対して着脱することができ、作業が容易になる。特に、画像制御基板アッセンブリ４０や画像表示装置２３は交換・保守作業が必要となる場合があるため、このように主制御基板アッセンブリ３０を容易に揺動可能にすることにより、これらの作業の効率化を図ることができる。
【００４８】
以上説明した本発明の実施形態において、達成される主要な効果を整理すれば、下記のようになる。
【００４９】
第１に、主基板アッセンブリ３０が画像制御基板アッセンブリ４０の一部を覆う（後面視において一部が重なる）ように配置することにより、画像制御基板アッセンブリ４０の大型化に対して遊技盤１０の上下方向寸法を大きくすることなく、これらのアッセンブリ３０，４０をこの遊技盤１０の裏面側に配設することができる。
【００５０】
第２に、主基板アッセンブリ３０の下端部を中心にこの主基板アッセンブリ３０を後方に揺動させると、画像制御基板アッセンブリ４０の後方側に作業空間を形成することができる。そのため、画像制御基板アッセンブリ４０を後方から覆うように主基板アッセンブリ３０が取り付けられていても、容易に、この画像制御基板アッセンブリ４０を遊技盤１０に対して着脱することができ、着脱作業が容易になる。
【図面の簡単な説明】
【００５１】
【図１】本発明に係る遊技機の一例として示すパチンコ機の正面図である。
【図２】上記パチンコ機に設けられた遊技盤の背面図である。
【図３】上記遊技盤の背面側の斜視図である。
【図４】上記パチンコ機に設けられた主基板アッセンブリの分解斜視図である。
【図５】主基板アッセンブリを構成するケース本体部材とケース蓋部材の取り付け状態を説明する図４の要部拡大図であって、（ａ）はケース本体部材の要部をケース蓋部材を取り付ける方向から見た図であり、（ｂ）はケース本体部材の要部を側方から見た図であり、（ｃ）はケース本体部材にケース蓋部材が取り付けられるときの要部の動きを示す図である。
【図６】主基板アッセンブリの平面図である。
【図７】ケース本体部材を示す図であり、（ａ）は平面図であり、（ｂ）は底面図である。
【図８】ケース蓋部材を示す図であり、（ａ）は平面図であり、（ｂ）は底面図である。
【図９】ストッパ部材を示す図であり、（ａ）は係合爪部側から見た斜視図であり、（ｂ）は（ａ）の反対側から見た斜視図である。
【図１０】外側部材を示す図であり、（ａ）は係合爪部側から見た斜視図であり、（ｂ）は（ａ）の反対側から見た斜視図である。
【図１１】内側部材を示す図であり、８ａ）は内側開口部側から見た斜視図であり、（ｂ）は（ａ）の反対側から見た斜視図である。
【図１２】不正開放防止機構によりケース本体部材とケース蓋部材とが係止状態にあるときを説明する要部拡大図である。
【図１３】不正開放防止機構によりケース本体部材とケース蓋部材とが開放状態にあるときを説明する要部拡大図である。
【図１４】上記遊技盤の背面図の斜視図であって、主基板アッセンブリを揺動させた状態を示す図である。
【符号の説明】
【００５２】
ＰＭ  パチンコ機（遊技機）
ＰＡ  遊技領域
１０  遊技盤
２３  画像表示装置
３０  主基板アッセンブリ（第２ユニット）
３１  主制御基板
４０  画像制御基板アッセンブリ（第１ユニット）
【図１】
0004694911.tif 000002
【図２】
0004694911.tif 000003
【図３】
0004694911.tif 000004
【図４】
0004694911.tif 000005
【図５】
0004694911.tif 000006
【図６】
0004694911.tif 000007
【図７】
0004694911.tif 000008
【図８】
0004694911.tif 000009
【図９】
0004694911.tif 000010
【図１０】
0004694911.tif 000011
【図１１】
0004694911.tif 000012
【図１２】
0004694911.tif 000013
【図１３】
0004694911.tif 000014
【図１４】
0004694911.tif 000015